(57)【要約】【課題】瓶をバランス良く安定した状態で支持し、瓶の洗浄後や内溶液を排出した後の水切り（液切り）、及び乾燥に適した瓶の支持ラック及び瓶の支持方法を得る。【解決手段】ストレートな支持棒材１に、開き口が瓶の胴径部より小さく、且つ瓶口部を含む首径部より大きくして成形された支持部材２，…を取付け固定し、支持棒材１の両端部に取付部材３，３を着脱可能にして具備すると共に、支持棒材１の表面を弾性質のカバー４で被覆してなり、支持棒材１の両端部を取付部材３，３で支持して取付け固定し、支持部材２の開き口に瓶口部を含む首径部を挿入して、支持棒材１と支持部材２で瓶の胴径部と瓶口部を含む首径部とを上下異方向より支持するようにした瓶の支持ラック及び瓶の支持方法である。【選択図】図１
2005225543.tif 000002
【特許請求の範囲】
【請求項１】
両端部に着脱可能な取付部材を備えた支持棒材に、開き口が瓶の胴径部より小さく、且つ瓶口部を含む首径部より大きくして成形された支持部材が取付け固定されてなることを特徴とする瓶の支持ラック。
【請求項２】
開き口が瓶の胴径部より小さく、且つ瓶口部を含む首径部より大きくして成形された支持部材が、線材若しくは棒材でＵ字状に成形されてなることを特徴とする請求項１記載の瓶の支持ラック。
【請求項３】
支持棒材の両端部が、取付部材により回動可能にして取付け固定されてなることを特徴とする請求項１又は請求項２記載の瓶の支持ラック。
【請求項４】
支持棒材の表面が、弾性質のカバーで被覆されてなることを特徴とする請求項１乃至請求項３のいずれか１項に記載の瓶の支持ラック。
【請求項５】
支持部材が、ストレートな支持棒材の側部に、支持部材の開先端を埋め込むようにして略等間隔に多数並設されてなることを特徴とする請求項１乃至請求項４のいずれか１項に記載の瓶の支持ラック。
【請求項６】
据付台若しくは移動台車に支柱を立て、該支柱に、隣接する上段と下端の支持部材の開き口が互い違いに位置ずれするように支持棒材の両端部を取付部材で支持して段々に取付け固定してなることを特徴とする請求項１乃至請求項５のいずれか１項に記載の瓶の支持ラック。
【請求項７】
両端部が取付部材で取付け固定された支持棒材に、開き口が瓶の胴径部より小さく、且つ瓶口部を含む首径部より大くして成形された支持部材を取付け固定して、該支持部材の開き口に瓶口部を含む首径部を挿入して、支持棒材と支持部材で瓶の胴径部と瓶口部を含む首径部とをそれぞれ上下異方向より支持してなることを特徴とする瓶の支持方法。
【請求項８】
開き口が瓶の胴径部より小さく、且つ瓶口部を含む首径部より大きくして線材若しくは棒材でＵ字状に成形された支持部材で瓶の胴径部を下方より支持すると共に、支持棒材で瓶口部を含む首径部を上方より支持してなることを特徴とする請求項７記載の瓶の支持方法。
【発明の詳細な説明】
【技術分野】
【０００１】
本発明は、瓶の洗浄後や内容液を排出した後の水切り（液切り）、及び乾燥、保管等に適した瓶の支持ラック及び瓶の支持方法に関するものである。
【背景技術】
【０００２】
瓶を洗浄した後や瓶から内容液を排出した後に瓶内に残る僅かな量の水や液体は、瓶を回収したり、洗浄後に乾燥したりするのにネックとなるが、瓶を傾けてその滴り落ちる水や液体が完全に切れるまでは時間がかかり、人手で行うのは面倒である。
【０００３】
一般家庭等における瓶の洗浄後の水切り乾燥を目的として、棒の上端に吊り下げ用のフックを有し、更に棒の中間部に瓶外壁の保持部を設けると共に、棒の下部を曲げて上方に向かわしめ、その先端部に瓶外壁の保持部に近接せしめた構造よりなる瓶吊下げ乾燥器が開示され、周知されている。（特許文献１参照）
【０００４】
又、特許文献２には、横方向と前後方向に所望間隔を有する支持脚下端部を有し、上方部分に細い首の部分を有する瓶の細い首の部分を挿入し得る通孔を設けて、使用時、通孔に瓶の細い首の部分を挿入して、傾斜構造体の状態で細い首の部分を有する瓶の部分を挿入して、傾斜構造体の状態で細い首の部分を有する瓶の部分をほぼ水平方向か、僅かではあるが、細い首の部分が太い瓶本体より低い位置で支持し得るようにした瓶の支持具と瓶の支持方法が開示されており、特許文献３には、略垂直に立設した背面基板に、ワインボトルを傾斜支持する二本一対の支持棒が片持状に突設され、該支持棒に少なくとも二本以上のワインボトルを並列載置するようにしたワインボトルの陳列棚が開示されており、特許文献４には、縦方向のワイヤの間隔を円筒瓶の太径部の直径よりも小さく、且つ円筒瓶の注口部の直径よりも大きくして配設すると共に横方向のワイヤの間隔を前記円筒瓶の太径部の長さよりも大きく形成し、注口部に位置するワイヤにその注口部に沿わせた立上がり部を設けてなる棚網上に、ワイン等の入った円筒瓶を寝かせて載置するようにしたショーケースの棚網構造が開示されている。
【特許文献１】実開平３−９２４６４号公報
【特許文献２】特開平８−２４４７８０号公報
【特許文献３】実開昭６３−３６３５９号公報
【特許文献４】実開昭６１−９５３６５号公報
【発明の開示】
【発明が解決しようとする課題】
【０００５】
上記特許文献１の瓶吊り下げ乾燥器具は、棒の下部を曲げて上方に向かわしめた先端部を瓶口に挿入し、下部の曲がり部によって瓶口を支えると共に、上方に曲げられた先端部とそれに近接した瓶外壁の保持部の保持面によって瓶壁を支えた状態で上端のフックを引掛け、瓶口を下方にして吊り下げることにより、水切りして乾燥するようにしてあり、棒の下部を曲げて上方に向かわしめた先端部を瓶口に挿入したり、瓶口より外したりする手間がかかることや、瓶口が棒の曲がり部で遮られて水切りがスムーズに行かないこと、及び瓶内に棒材を挿入して支持するので非衛生的であるなどの課題（問題点）がある。
【０００６】
又、特許文献２の瓶の支持具と瓶の支持方法は、板状の支持具に、瓶の細い首の部分を挿入し得る通孔を設け、該通孔に瓶の細い首の部分を挿入して、細い首の部分のみで内容物の入った瓶を支持するようにしたもので、瓶の細い首の部分に負荷が集中しやすいことや瓶の細い首の部分の大きさが異なると適用し難い課題（問題点）がある。
【０００７】
更に、特許文献３のワインボトルの陳列棚や特許文献４のショーケースの棚網構造は、略垂直に立設された背面基板に片持状の突設された二本一対の支持棒にワインの入ったボトルを、瓶口が上方の斜めの状態で並べて載置したり、或いはワイヤを縦方向に瓶の太径部の直径より小さく、且つ瓶の注口部の直径よりも大きくした間隔で配設すると共に、横方向には瓶の太径部の長さよりも大きくして、注口部に位置するワイヤに立上がりを設けた棚網上にワイン等の入ったボトルを寝かせて載置するようにしたものであり、瓶の洗浄後や内容液排出後の水切りや液切りのように瓶口を斜め下へ向けて行うには、瓶の支持が不安定となって瓶口を斜め下方へ向けての充分な勾配は得にくい課題（問題点）がある。
【課題を解決するための手段】
【０００８】
上記課題を解決するために、本発明は以下に記載するような手段を講じてなることを特徴とする瓶の支持ラック及び瓶の支持方法とするものである。
すなわち、両端部に着脱可能な取付部材を備えた支持棒材に、開き口が瓶の胴径部より小さく、且つ瓶口部を含む首径部より大きくして成形された支持部材が取付け固定されてなることを特徴とするものであり、支持部材の開き口に瓶口部を含む首径部を挿入して支持棒材と支持部材で瓶の胴径部と瓶口部を含む首径部とをそれぞれ上下異方向より支持するようにした瓶の支持ラック及び瓶の支持方法である。
【０００９】
前記支持部材は、開き口が瓶の胴径部より小さく、且つ瓶口部を含む首径部より大きくして、線材若しくは棒材でＵ字状に成形するのが望ましいが、コ字状に成形したり、略Ｖ字状に成形したものでも良い。そして、例えばＵ字状に成形された支持部材で瓶の胴径部を下方から支持し、瓶口部を含む首径部を支持棒材で上方から支持することにより、瓶の水切り（液切り）に適した状態で瓶の安定した支持が得られる。
【００１０】
前記瓶の水切り（液切り）に適した状態は、瓶口から水（液体）が完全に切れるように瓶口を下方へ向けて瓶を斜めに傾けた状態であり、前記支持棒材の両端部が、取付部材により回動可能にして取付け固定されることにより、支持された瓶の傾きが変えられる。
【００１１】
前記支持棒材は、金属製のストレートな棒材を使用するのが一般的であり、金属製のストレートな棒材で瓶を支持した場合の滑りを考慮すると、支持棒材の表面は、弾性質のカバーで被覆されているのが望ましい。そうすれば、瓶との接触（当り）が良く、接触部の摩擦抵抗が増大して滑りにくくなり、瓶を安定して支持するのに好ましい。
【００１２】
又、瓶の水切り（液切り）、及び乾燥が一度に多数行えるようにするために、支持部材が、ストレートな支持棒材の側部に、支持部材の開先端を埋め込むようにして略等間隔に多数並設され、支持部材を略等間隔に多数並設した支持棒材の両端部を取付部材により、例えば台所の壁部に取付け固定したり、或いは据付台や移動台車等に支柱を立てて、該支柱に、上段と下段の支持部材の開き口が互い違いに位置ずれするように支持棒材の両端部を取付部材で支持して段々に取付け固定したりする。
【発明の効果】
【００１３】
本発明は、瓶の胴径部より小さく、瓶口部を含む首径部より大きい範囲で開き口が形成された支持部材と、該支持部材の開先端を取付け固定して両端部が取付部材で取付け固定された支持棒材で瓶の胴径部と瓶口部を含む首径部とを上下異なる方向から支持するようにした瓶の支持ラック及び瓶の支持方法であるから、瓶の胴径部と瓶口部を含む首径部が前記支持部材の開き口に適合するものであれば瓶の大きさや形状が異なっても任意にバランス良く安定した支持を得ることができる。
【００１４】
又、支持棒材を取付部材で回動可能に取付け固定することにより、支持された瓶の傾きが変えられ、且つ瓶内に入れて瓶口を遮るように支持しないので、衛生的で水切り（液切り）もスムーズになり、瓶の洗浄後や内容液排出後の水切り（液切り）、及び乾燥等に適した瓶の支持が得られる。
【００１５】
更に、ストレートな支持棒材に、Ｕ字状（又はコ字状、Ｖ字状でも良い）に成形した支持部材の開先端を取付け固定して、支持棒材の両端部を取付部材で取付けて支持するようにしたシンプルなものであり、安価に提供できると共に必要とする場所の壁や支柱に任意に取付けられる。
【発明を実施するための最良の形態】
【００１６】
本発明を実施するための最良の形態は、弾性質のカバーで表面が被覆されたストレートな支持部材に、開き口が瓶の胴径部より小さく、且つ瓶口部を含む首径部より大きくしてＵ字状に成形された支持部材を取付け固定して、前記支持棒材の両端部に取付部材を着脱可能にして具備したものであり、取付部材で支持棒材の両端部を支持し、支持部材の開き口に瓶口部を含む首径部を挿入して、Ｕ字状に成形された支持部材で瓶の胴径部を下方から支持すると共に瓶口部を含む首径部を前記支持棒材で上方から支持するようにしたものである。以下実施例を示す図面に基づいて説明する。
【実施例１】
【００１７】
図１は、本発明に係る瓶の支持ラックの実施例を示す斜視図であり、図２は、該支持ラックにより瓶を支持した側断面図である。
図１及び図２に示すように、ストレートな支持棒材１の側部に、線材をＵ字状に成形した支持部材２，…の開き口２ａ，…の開先端２ｂ，…が取付け固定され、支持棒材１の両端部には取付部材３，３が具備されており、支持棒材１の表面は、弾性質のカバー４で被覆されている。
【００１８】
前記支持棒材１や支持部材２は、瓶の洗浄後や内容液を排出した後の水切り（液切り）の際に水やその他液体が付着しやすいことから、耐食性が良く、強度のある例えばステンレス鋼製の丸棒材や線材を使用するのが望ましいが、鉄や真鍮製の丸棒材や線材に鍍金を施すなど防錆処理して使用しても良い。或いは瓶を支持するのに充分な強度が得られれば、合成樹脂製の丸棒材等を使用しても良い。
【００１９】
支持棒材１に支持部材２，…を取付け固定するには、支持棒材１の側部に取付穴１ａ，…を穿設し、該取付穴に、瓶６の胴径部６ａより小さく、且つ瓶口部を含む首径部６ｂより大きくして線材又は丸棒材をＵ字状に成形した支持部材２，…の開き口２ａ，…の開先端２ｂ，…を埋め込むようにして、反対側の穴口部１ｂ，…を溶接又は接着剤等で固定することにより、ストレートな支持棒材１の側部に多数の支持部材２，…（本実施例では３）が略等間隔に並設するが、支持部材２，…の数は必要に応じて決める。
【００２０】
支持棒材１の両端部を支持して取付け固定する取付部材３，３は、支持棒材１の両端部を支持する穴３ａ，３ａを穿設し、該穴に、すり割り３ｂ，３ｂを入れてボルト５，５で締め付けることにより支持棒材１が固定されるようにしてあり、ボルト５，５を緩めることにより取付部材３，３の着脱が可能であると共に、支持棒材１の回動も可能であり、該支柱棒材に取付け固定された支持部材２，…の支持による瓶の傾きが変えられる。
【００２１】
支持棒材１の表面を被覆したカバー４は、ゴムやポリウレタン、ナイロン等の弾性質のチューブを割って支持棒材１の表面に着脱自在に被覆させてあり、弾性質のカバー４で支持棒材１の表面を被覆することにより瓶との接触（当り）が良く、摩擦抵抗が増大して滑りにくいことから、瓶を安定して支持するのに好ましい。
【００２２】
次に、以上のようにしてなる瓶の支持ラックにより瓶を支持するについて図２〜図４において説明すると、一般的に図２，図３に示すように支持部材２の開き口２ａに瓶口部を含む首径部を挿入して支持部材２で瓶６の胴径部６ａを下方より支持し、瓶口部を含む首径部６ｂは弾性質のカバー４で表面が被覆された支持棒材１で上方より支持するが、図４に示すように瓶６の胴径部６ａを弾性質のカバー４で表面が被覆された支持棒材１で下方より支持し、瓶口部を含む首径部６ｂを支持部材２で上方より支持することもできる。
【００２３】
支持部材２は、開き口２ａが瓶６の胴径部６ａより小さく、且つ瓶口部を含む首径部６ｂより大きくしてＵ字状に成形されており、該開き口２ａに適用される瓶であれば瓶の大きさが異なっても任意に支持できる。例えば、図２に示す瓶６の支持は、瓶口部に近い首径部６ａが、弾性質のカバー４で表面が被覆された支持棒材１で上方から支持され、瓶の胴径部６ａの中間より前方部が支持部材２で下方より支持されており、図３に示す瓶６の支持は、瓶口部より離れた胴径部６ａに近い首径部６ｂが、弾性質のカバー４で表面が被覆された支持棒材１で上方から支持され、瓶の胴径部６ａは、該胴径部の中間より後方部に支持部材２の後端部が位置して下方より支持部材２で支持されている。
【００２４】
前記図２に示す瓶の支持においては、瓶６の重心が支持部材２の支持部より後方にあり、支持部材２の支持により瓶口部が上方へ起き上がろうとする力が働くため、上方より弾性質のカバー４で被覆された支持棒材１で支持することによりバランス良く瓶６を支持することができ、図３に示す瓶の支持においては、瓶６の重心が支持部材２の後端部より前方になるが、Ｕ字状に成形された支持部材２の後端部と開き口２ａに瓶の胴径部６ａがくい込み、開き口２ａの両サイドで挟持されるようにして支持されると共に、瓶の胴径部に近い首径部６ｂは弾性質カバー４で表面が被覆された支持棒材１で押えつけられるようにして支持されるので安定した支持を得ることができる。
【００２５】
上記の如くして支持された瓶６は、支持部材２が略水平の状態で瓶口が下方へ向いた斜めの状態で支持されることになり、瓶の洗浄後や内容液を排出した後の水切り（液切り）及び乾燥に適した支持となるが、瓶６の傾きの調整及び傾きを変える場合は、支持棒材１の両端部に具備された前記取付部材３，３のボルト５，５を緩めて所定の傾きを出した後、ボルト５，５を締め付けることにより設定される。
【００２６】
以上のようにしてなる瓶の支持ラックは、図１に示す取付部材３，３により台所などの壁部に取付けて家庭における瓶の洗浄後や内容液を排出し後の水切り（液切り）、及び乾燥用に供することができるが、更に多量の瓶の洗浄後や内容液を排出した後の水切り（液切り）、及び乾燥用として供する場合の実施形態を図５，図６に示す。図５は据付タイプ、図６は移動タイプである。
【００２７】
図５は据付台７に、支柱８，８を略垂直に立て、該支柱に、取付部材３，３により支持棒材１の両端部が支持されて段々に取付け固定することにより支持棒材１に略等間隔に並設された支持部材２，…を多数にした実施形態で、図６はキャスタを付けた移動台車９に支柱１０，１０略垂直に立て、該支柱に、取付部材３，３により支持棒材１の両端部が支持されて段々に取付け固定することにより支持棒材１に略等間隔に並設された支持部材２，…を多数にした実施形態である。
【００２８】
前記支持部材２，…は、隣接する上段と下段とでは開き口２ａ，…が互い違いに位置ずれするように並設され、支持部材２，…で支持された上段と下段の瓶が干渉しないようにしてあり、図５では角形の支柱８，８に片側のみ取付け固定されて据付けられ、図６では丸棒の支柱１０，１０に両側に取付け固定されて更に多量の瓶が支持されるようにしてあることから、キャスター１１，１１Ａ…により移動できるようにしてあり、キャスター１１Ａは方向が変えられるように自在型にしてある。
【００２９】
又、図６に示す支柱１０，１０は、丸棒材にしてあり、取付部材３，３，…は、支柱１０，１０に取付けるための穴３ｃ，３ｃ，…を穿設して、該穴にすり割りを入れてボルト１２，１２，…を締め付けることにより、取付け固定されており、ボルト１２，１２，…を緩めることにより取付部材３，３，…を上下に移動させ、上下間隔を調整して取付け固定できるようにしてある。
【産業上の利用可能性】
【００３０】
瓶を支持する支持部材の傾きを変えて取付け固定することができるので、瓶の洗浄後や内容液排出後の水切り（液切り）、及び乾燥のみならず、例えばワインや酒類等の内容物の入った瓶類の陳列や保管等の棚としても利用できる。
【図面の簡単な説明】
【００３１】
【図１】本発明に係る瓶の支持ラックの実施例を示す斜視図である。
【図２】瓶の支持例を示す側断面図である。
【図３】瓶の支持例を示す側断面図である。
【図４】瓶の支持例を示す側断面図である。
【図５】瓶の支持ラックを段々に多数並設した実施形態を示す斜視図である。
【図６】瓶の支持ラックを段々に多数並設した実施形態を示す斜視図である。
【符号の説明】
【００３２】
１  支持棒材
１ａ  取付穴
１ｂ  穴口部
２  支持部材
２ａ  開き口
２ｂ  開先端
３  取付部材
３ａ，３ｃ  穴
３ｂ  すり割り
４  カバー
５，１２  ボルト
６  瓶
６ａ  胴径部
６ｂ  首径部
７  据付台
８，１０  支柱
９  移動台車
１１，１１Ａ  キャスター
【図１】
2005225543.tif 000003
【図２】
2005225543.tif 000004
【図３】
2005225543.tif 000005
【図４】
2005225543.tif 000006
【図５】
2005225543.tif 000007
【図６】
2005225543.tif 000008